(57)【要約】【課題】樹脂製のセッティングブロックによって複層ガラスを支持する建具において、ガラスの室外側の落下を効果的に防止できる構成を提供すること。【解決手段】建具１は、枠体１０を構成する下枠１２とガラス（複層ガラス）１２５の間に配置される樹脂製のセッティングブロック９０と、下枠１２の見込面１２ｇにおけるセッティングブロック９０の見込方向室外側に発泡面を上方に向けて隣接配置される加熱発泡材９１と、を備える。また、加熱発泡材９１は、左右方向の長さがセッティングブロック９０の室外側の左右方向の長さに略一致するように構成される。【選択図】図５
2019065556.tif 000002
【特許請求の範囲】
【請求項１】
枠体及び前記枠体の内側に納められる複層ガラスを備える建具であって、
前記枠体を構成する下枠と前記複層ガラスの間に配置される樹脂製のセッティングブロックと、
前記下枠の見込面における前記セッティングブロックの見込方向室外側に発泡面を上方に向けて隣接配置される加熱発泡材と、を備える建具。
【請求項２】
前記加熱発泡材は、左右方向の長さが前記セッティングブロックの室外側の左右方向の長さに略一致する請求項１に記載の建具。
【発明の詳細な説明】
【技術分野】
【０００１】
本発明は、枠体の内側に配置されるガラスを備える建具に関する。
【背景技術】
【０００２】
従来、枠体とガラスの間にセッティングブロックを配置した建具が知られている。この種の建具について記載されたものとして特許文献１がある。
【０００３】
特許文献１には、室内外を連通する開口を閉塞可能であり、枠組みされた樹脂製の框体内にガラスを備えた樹脂製建具において、ガラスと框体との間に設けられガラスの室内外方向と直交する面内方向の移動を規制するためのセッティングブロックと、ガラスと框体との間に設けられ、加熱されて膨張する熱膨張性部材と、を備え、セッティングブロックは、室内外方向においてガラスの厚みより薄く形成されており、セッティングブロックが設けられている部位では、当該セッティングブロックと熱膨張性部材とが室内外方向に並べて設けられている。
【先行技術文献】
【特許文献】
【０００４】
【特許文献１】特開２０１０−２４８８３６号公報
【発明の概要】
【発明が解決しようとする課題】
【０００５】
ところで、火災発生時に樹脂製のセッティングブロックが溶融するとガラスが落下して室内外が貫通するおそれがある。例えば、複層ガラスにおいて室外側ガラスに網ガラスを用いていても、高温状態でセッティングブロックが溶融し、室外側の網ガラスがその重みで落下するおそれがある。この点、特許文献１では、セッティングブロックが設けられている部位では、当該セッティングブロックと熱膨張性部材とが室内外方向に並べて設けられているものの、室外側でのガラスの落下を効果的に遅らせるために加熱発泡材を機能させるという観点から改善の余地があった。
【０００６】
本発明は、樹脂製のセッティングブロックによって複層ガラスを支持する建具において、ガラスの室外側の落下を効果的に防止できる構成を提供することを目的とする。
【課題を解決するための手段】
【０００７】
本発明は、枠体（例えば、後述の枠体１０）及び前記枠体の内側に納められる複層ガラス（例えば、後述の複層ガラス１２５）を備える建具（例えば、後述の建具１）であって、前記枠体を構成する下枠（例えば、後述の下枠１２）と前記複層ガラスの間に配置される樹脂製のセッティングブロック（例えば、後述のセッティングブロック９０）と、前記下枠の見込面（例えば、後述の見込面１２ｇ）における前記セッティングブロックの見込方向室外側に発泡面を上方に向けて隣接配置される加熱発泡材（例えば、後述の加熱発泡材９１）と、を備える建具に関する。
【０００８】
前記加熱発泡材は、左右方向の長さが前記セッティングブロックの室外側の左右方向の長さに略一致することが好ましい。
【発明の効果】
【０００９】
本発明の建具によれば、樹脂製のセッティングブロックによって複層ガラスを支持する建具において、複層ガラスの室外側の落下を効果的に防止できる。
【図面の簡単な説明】
【００１０】
【図１】本発明の一実施形態に係る建具を示す正面図である。
【図２】本実施形態の建具の横断面図である。
【図３】本実施形態の建具の障子が配置される部分の縦断面図である。
【図４】本実施形態の建具のＦＩＸ窓が配置される部分の縦断面図である。
【図５】本実施形態の建具に適用されるセッティングブロック及びその周囲を示す拡大縦断面図である。
【図６】本実施形態の建具に適用されるセッティングブロック及びその周囲を示す斜視図である。
【発明を実施するための形態】
【００１１】
以下、本発明の好ましい実施形態について、図面を参照しながら説明する。なお、本明細書において、「見付方向」とは、建物に形成された開口部に納められた建具（サッシ）の枠体に収められるガラスや障子の面内方向を意味し、「見込方向」とは、室内外方向（即ち、奥行き方向）を意味する。
【００１２】
図１は、本発明の一実施形態に係る建具１を示す正面図である。図２は、本実施形態の建具１の横断面図である。まず、建具１の全体構成について説明する。本実施形態の建具１は、枠体１０と、枠体の内側に開閉可能に設けられる障子２０及びＦＩＸ窓１２０と、を備える防火仕様のサッシである。
【００１３】
枠体１０は、上枠１１、下枠１２、障子側縦枠１３、ＦＩＸ側縦枠１４及び方立１６を含んで構成される。上枠１１、下枠１２、障子側縦枠１３、ＦＩＸ側縦枠１４及び方立１６は、何れも樹脂製であり、溶着によって接合される。枠体１０の内側で方立１６によって障子２０とＦＩＸ窓１２０が隔てられている。
【００１４】
障子側縦枠１３の内部も、見込方向で区画された複数の中空部１３ａ，１３ｂ，１３ｃが形成され、中空部１３ｂには金属製の縦枠芯材１３ｄが配置される。また、障子側縦枠１３の室外側には見付方向戸先側に延びる延出部１３ｅが形成され、該延出部１３ｅにもクッション材１３ｆが配置される。ＦＩＸ側縦枠１４の内部にも、見込方向で区画された複数の中空部１４ａ，１４ｂ，１４ｃが形成され、中空部１４ｂには金属製の縦枠芯材１４ｄが配置される。ＦＩＸ側縦枠１４の室外側にも見付方向吊元側に延びる延出部１４ｅが形成され、該延出部１４ｅにもクッション材１４ｆが配置される。
【００１５】
方立１６の内部も、複数の中空部１６ａ，１６ｂ，１６ｃ，１６ｄが形成され、中央の中空部１６ａには金属製の方立芯材１６ｅが配置される。また、方立１６の室外側端部のＦＩＸ窓１２０側には、樹脂製の押し縁部材１２７を嵌合する嵌合部１６ｆが形成され、室内側端部のＦＩＸ窓１２０側にはガラス止め部材１２８を嵌合する嵌合部１６ｇが形成される。また、方立１６の室内側端部の障子２０側には、戸先側縦框３４の室内側の見付に対向するクッション材１６ｈが嵌合固定される。
【００１６】
図３は、本実施形態の建具１の障子２０が配置される部分の縦断面図である。図４は、本実施形態の建具のＦＩＸ窓１２０が配置される部分の縦断面図である。図３及び図4に示すように、上枠１１の内部は、見込方向で複数の空間に区画されており、室外側から室内側の順に中空部１１ａ，１１ｂ，１１ｃが形成される。中空部１１ｃには金属製の上枠芯材１１ｄが配置される。また、上枠１１の室内側下部には、下方に延びる延出部１１ｅが形成され、延出部１１ｅの室外側の見付面にはクッション材１１ｆが配置される。なお、上枠芯材１１ｄは、方立１６の位置で分割されており、障子２０側とＦＩＸ窓１２０側で独立した別個の部材となっている。
【００１７】
下枠１２の内部にも、見込方向に複数の中空部１２ａ，１２ｂ，１２ｃが形成され、中空部１２ｂには金属製の下枠芯材１２ｄが配置される。また、下枠１２の室内側上部には、上方に延びる延出部１２ｅが形成され、該延出部１２ｅにもクッション材１２ｆが配置される。
【００１８】
上枠１１、下枠１２、障子側縦枠１３、ＦＩＸ側縦枠１４及び方立１６が連結される部分の内側の隅（内隅）には枠側コーナー金具４６がそれぞれ配置される。枠側コーナー金具４６自体は、枠体１０の見込面に配置されるが、ネジ等の締結部材を介して枠体１０の内側の芯材（上枠芯材１１ｄ、下枠芯材１２ｄ、縦枠芯材１３ｄ、縦枠芯材１４ｄ及び方立芯材１６ｅ）に締結固定される。
【００１９】
次に、障子２０について説明する。障子２０は、複層ガラス２５と、複層ガラス２５を囲うように構成される框体３０と、を含むように構成される。
【００２０】
複層ガラス２５は、室外側に配置される室外側ガラス２５ａと、室外側ガラス２５ａに対して隙間をあけて室内側に配置される室内側ガラス２５ｂと、を備える。室外側ガラス２５ａと室内側ガラス２５ｂの間にはスペーサ２６等が配置される。
【００２１】
室外側ガラス２５ａは、室内側ガラス２５ｂよりも耐熱性が高いものが用いられる。本実施形態における耐熱性が高いとは、高温環境下において溶融し難い材質で構成される耐熱強化ガラスだけではなく、構造によってその形状を留める工夫がなされた網ガラス等のようなものも含むものとする。例えば、所定の基準に従って所定時間、高温環境にさらされたときに、室外側ガラス２５ａが室内側ガラス２５ｂよりもその形状を留めることができるような場合である。本実施形態では、室外側ガラス１２５ａには網入ガラスが用いられ、室内側ガラスには内面に金属膜が設けられた高断熱ガラス、いわゆるＬｏｗ-Ｅ（Ｌｏｗ Ｅｍｉｓｓｉｖｉｔｙ）ガラスが用いられている。
【００２２】
框体３０は、上框３１、下框３２、戸先側縦框３４及び吊元側縦框３３が矩形に枠組みされて構成される。上框３１、下框３２、戸先側縦框３４及び吊元側縦框３３は、何れも樹脂製であり、溶着によって接合される。
【００２３】
上框３１の内部には、室外側から室内側に向かって複数の中空部３１ａ，３１ｂ，３１ｃが形成される。最も室内側に位置する中空部３１ｃには、金属で形成される室内側上框芯材３１ｄが配置される。中空部３１ｂにも、金属製の室外側上框芯材３１ｅが配置される。室内側上框芯材３１ｄ及び室外側上框芯材３１ｅは、何れも上框３１の長手方向に沿って延びている。上框３１の室外側上部には、上枠１１の一部と見込方向で対向する延出部３１ｆが形成される。延出部３１ｆの室内側にはクッション材３１ｇが設けられる。また、延出部３１ｆの下方には樹脂製の押し縁部材２７を嵌合固定する嵌合固定部３１ｈが形成される。
【００２４】
下框３２の内部にも、室外側から室内側に向かって複数の中空部３２ａ，３２ｂ，３２ｃが形成される。最も室内側に位置する中空部３２ｃには、金属で形成される室内側下框芯材３２ｄが配置される。中空部３２ｂにも、金属製の室外側下框芯材３２ｅが配置される。室内側下框芯材３２ｄ及び室外側下框芯材３２ｅは、何れも下框３２の長手方向に沿って延びている。下框３２の室外側下部には、下枠１２の一部と見込方向で対向する延出部３２ｆが形成される。延出部３２ｆの室内側にはクッション材３２ｇが設けられる。また、延出部３２ｆの下方には樹脂製の押し縁部材２７を嵌合固定する嵌合固定部３２ｈが形成される。
【００２５】
戸先側縦框３４の内部には、室外側から室内側に向かって複数の中空部３３ａ，３３ｂ，３３ｃが形成される。最も室内側に位置する中空部３３ｃには、金属で形成される室内側縦框芯材３３ｄが配置される。中空部３３ｂにも、金属製の室外側縦框芯材３３ｅが配置される。室内側縦框芯材３３ｄ及び室外側縦框芯材３３ｅは、何れも戸先側縦框３４の長手方向に沿って延びている。戸先側縦框３４の室外側には、障子側縦枠１３の一部と見込方向で対向する延出部３３ｆが形成される。延出部３３ｆの室内側にはクッション材３３ｇが設けられる。また、延出部３３ｆの戸先側には樹脂製の押し縁部材２７を嵌合固定する嵌合固定部３３ｈが形成される。
【００２６】
吊元側縦框３３の内部には、室外側から室内側に向かって複数の中空部３４ａ，３４ｂ，３４ｃが形成される。最も室内側に位置する中空部３４ｃには、金属で形成される室内側縦框芯材３４ｄが配置される。中空部３４ｂにも、金属製の室外側縦框芯材３４ｅが配置される。室内側縦框芯材３４ｄ及び室外側縦框芯材３４ｅは、何れも吊元側縦框３３の長手方向に沿って延びている。吊元側縦框３３の室外側には、方立１６の一部と見込方向で対向する延出部３４ｆが形成される。延出部３４ｆの室内側にはクッション材３４ｇが設けられる。また、延出部３４ｆの吊元側には樹脂製の押し縁部材２７を嵌合固定する嵌合固定部３４ｈが形成される。
【００２７】
本実施形態では、框体３０内部の室外側に位置する芯材（室外側上框芯材３１ｅ、室外側下框芯材３２ｅ、室外側縦框芯材３３ｅ及び室外側縦框芯材３４ｅ）と、室内側に位置する芯材（室内側上框芯材３１ｄ、室内側下框芯材３２ｄ、室内側縦框芯材３３ｄ及び室内側縦框芯材３４ｄ）と、が框芯材連結金具６７によって連結されている。框芯材連結金具６７は、框体３０の外側面の形状に応じて段差状に形成されるプレート部材である。框芯材連結金具６７は、框体３０（上框３１、下框３２、戸先側縦框３４及び吊元側縦框３３）の外部に配置され、框体３０の内部で異なる中空部に配置される室外側の芯材と室内側の芯材にネジ等の締結部材によってそれぞれ締結される。これによって見込方向に複数の中空部が形成される樹脂製の框体３０が火災発生時の高温環境下で室外側と室内側に分離する事態が確実に防止されている。
【００２８】
障子２０は、上枠１１に連結されるとともに上框３１（框体３０）に連結される上アーム部材６１及び下枠１２に連結されるとともに下框３２（框体３０）に連結される下アーム部材６２によって開閉可能に枠体１０の内側に支持される。
【００２９】
障子２０の戸先側には、ハンドル５５に連動するスライドロック機構５０が配置される。スライドロック機構５０は、ハンドル５５操作に連動して上下方向に移動するスライドプレート５１と、スライドプレート５１の戸先側の見込面に形成されるロックピン５２と、を備える。方立１６の内側（障子２０側）の見込面には、ロックピン５２が嵌合するロックピン受け金具１５が固定される。本実施形態では、ロックピン５２は、上下方向で複数個所に形成されており、ロックピン受け金具１５もロックピン５２の数に応じて上下方向に間隔をあけて複数固定される。また、スライドプレート５１は、吊元側縦框３３の戸先側にスライド嵌合された状態でハンドル５５に連結されている。
【００３０】
框体３０（上框３１、下框３２、戸先側縦框３４及び吊元側縦框３３）の見込面にはガラス外れ止め部材４０が配置される。ガラス外れ止め部材４０は、面外方向の複層ガラス２５の移動を規制するものである。框体３０の見込面に、間隔をあけて複数配置される。
【００３１】
次に、ＦＩＸ窓１２０について説明する。ＦＩＸ窓１２０は、枠体１０の内側で方立１６を挟んで障子２０の反対側に位置する。上枠１１、下枠１２、ＦＩＸ側縦枠１４及び方立１６がＦＩＸ窓１２０の框体（枠体）として機能する。
【００３２】
ＦＩＸ窓１２０は、室外側ガラス１２５ａと室内側ガラス１２５ｂを備える複層ガラス１２５を備える。室外側ガラス２５ａと室内側ガラス２５ｂの間にはスペーサ１２６等が配置される。室外側ガラス１２５ａは室内側ガラス１２５ｂよりも相対的に耐熱性の高いものが用いられる。本実施形態では、障子２０の複層ガラス２５と同様に室外側ガラス１２５ａには網入ガラスが用いられ、室内側ガラス１２５ｂにはＬｏｗ-Ｅガラスが用いられる。
【００３３】
上枠１１、下枠１２、ＦＩＸ側縦枠１４及び方立１６の室外側の見付面には、複層ガラス１２５を押さえる樹脂製の押し縁部材１２７が嵌合固定される。また、上枠１１、下枠１２、ＦＩＸ側縦枠１４及び方立１６の室内側の見付面には、ガラス止め部材１２８が配置される。ガラス止め部材１２８は、見込方向で複層ガラス１２５を挟んで押し縁部材１２７の反対側に位置する。
【００３４】
上枠１１、下枠１２、ＦＩＸ側縦枠１４及び方立１６における複層ガラス１２５の端面に対向する見込面のそれぞれにも、ガラス外れ止め部材１４０が配置される。ガラス外れ止め部材１４０は、面外方向の複層ガラス１２５の移動を規制するものである。上枠１１、下枠１２、ＦＩＸ側縦枠１４及び方立１６の見込面に、間隔をあけて複数配置される。これらのガラス外れ止め部材１４０は、枠体の内側に配置される金属製の芯材（上枠芯材１１ｄ、下枠芯材１２ｄ、縦枠芯材１４ｄ及び方立芯材１６ｅ）に締結部材（図示省略）を介して締結固定される。また、ＦＩＸ側縦枠１４及び方立１６の見込面のそれぞれにはセッティングブロック９９が配置される。
【００３５】
次に、ＦＩＸ窓１２０の複層ガラス１２５を下から支持するセッティングブロック９０及び該セッティングブロック９０に隣接配置される加熱発泡材９１の構成について説明する。図５は、本実施形態の建具１に適用されるセッティングブロック９０及びその周囲を示す拡大縦断面図である。図６は、本実施形態の建具１に適用されるセッティングブロック９０及びその周囲を示す斜視図である。
【００３６】
図５及び図６に示すように、セッティングブロック９０は、複層ガラス１２５の下端面と下枠１２の見込面１２ｇの間に１又は複数配置される。複数のセッティングブロック９０を配置する場合は、例えば、左右方向に間隔をあけて配置される。セッティングブロック９０はポリ塩化ビニル（ＰＶＣ）等の樹脂によって直方体状に構成される。セッティングブロック９０は、両面テープや接着剤等の手段によって下枠１２に固定されている。なお、セッティングブロック９０は、ネジ等の締結部材や押さえ部材等の機械的な手段で下枠１２に固定してもよい。
【００３７】
本実施形態では、セッティングブロック９０の室外側面が室外側ガラス１２５ａの室外側面と略面一のような配置となっている。また、セッティングブロック９０の室内側面は、下枠１２の延出部１２ｅの室外側面に対向する位置関係となっている。
【００３８】
下枠１２の見込面１２ｇにおけるセッティングブロック９０の室外側には加熱発泡材９１が隣接配置される。加熱発泡材９１は、エポキシ系樹脂等を用いた熱によって膨張する材料で構成されており、帯状の形状となっている。
【００３９】
加熱発泡材９１は、その左右方向の長さがセッティングブロック９０の左右方向の幅の長さに略一している。また、加熱発泡材９１の見込方向の長さは、セッティングブロック９０から下枠１２の見込面１２ｇの室外側端部までを覆う長さとなっている。加熱発泡材９１も両面テープや接着剤等の手段によって下枠１２に固定されている。なお、加熱発泡材９１は、ネジ等の締結部材や押さえ部材等の機械的な手段で下枠１２に固定してもよい。
【００４０】
以上説明した上記実施形態の構成によれば、以下のような効果を奏する。
建具１は、枠体１０を構成する下枠１２と複層ガラス１２５の間に配置される樹脂製のセッティングブロック９０と、下枠１２の見込面１２ｇにおけるセッティングブロック９０の見込方向室外側に発泡面（平面部）を上方に向けて隣接配置される加熱発泡材９１と、を備える。
【００４１】
これにより、通常時はセッティングブロック９０の上面によって複層ガラス１２５の下端部が支持させ、火災発生時には高温環境になると樹脂製のセッティングブロック９０が溶融する前に、発泡面を上方に向けられた加熱発泡材９１が発泡する。発泡によって押し縁部材１２７とセッティングブロック９０との間の空間、及び押し縁部材１２７と複層ガラス１２５の室外側（室外側ガラス１２５ａ）との間の空間を埋める形となり、室外側からセッティングブロック９０への熱の伝達を抑制し、セッティングブロック９０の溶融を遅らせることができる。特に室外側が火災にさらされた場合の複層ガラス１２５の落下を遅らせることができ、セッティングブロック９０を効果的に保護できる。
【００４２】
また、本実施形態では、加熱発泡材９１は、左右方向の長さがセッティングブロック９０の室外側の左右方向の長さに略一致する。
【００４３】
これにより、複層ガラス１２５の室外側の落下を遅らせるために必要な加熱発泡材９１の使用量を低減でき、複層ガラス１２５の室外側の落下を遅らせる構成を低コストで実現できる。
【００４４】
以上、本発明の好ましい実施形態について説明したが、本発明は、上述の実施形態に制限されるものではなく、適宜変更が可能である。
【００４５】
上記実施形態では、ＦＩＸ窓１２０の複層ガラス１２５を保持するセッティングブロック９０を例に説明したが、縦辷り窓や横辷り窓等の開閉可能な障子を備える建具に適用することもできる。例えば、複層ガラスを内側に納める框体の下框の見込面に配置され、障子の複層ガラスを下から支持するセッティングブロックの室外側に加熱発泡材が配置される。即ち、セッティングブロック及び加熱発泡材が配置される枠体は、障子の框体であってもよい。このように、本発明は、複層ガラスを保持する必要のある種々の建具に適用できる。
【００４６】
また、上記実施形態で説明した上枠１１、下枠１２、障子側縦枠１３及びＦＩＸ側縦枠１４の構成に限られず、枠体１０の構成は適宜変更することができる。例えば、枠体（上枠、下枠、左右一対の縦枠）の見込方向室内側及び室外側の何れか一側又は両方にアルミ形材等の金属製のカバー部材を配置する構成としてもよい。
【符号の説明】
【００４７】
１  建具
１０  枠体
１２  下枠
１２ｇ  見込面
２０  障子
９０  セッティングブロック
９１  加熱発泡材
１２５  複層ガラス
１２５ａ  室外側ガラス
１２５ｂ  室内側ガラス
【図１】
2019065556.tif 000003
【図２】
2019065556.tif 000004
【図３】
2019065556.tif 000005
【図４】
2019065556.tif 000006
【図５】
2019065556.tif 000007
【図６】
2019065556.tif 000008